(57)【要約】【課題】本発明の目的は、ユーザーが原稿圧着板を閉めようとした際に、その意図に反して原稿圧着板が第二の回動中心を中心にして回動してしまうのを防止することである。【解決手段】原稿圧着板１０４を開閉させるための第一の回動軸２０３と、原稿の厚さに応じて原稿圧着板１０４を原稿に密着させるための第二の回動軸２０４と、を有するヒンジ１０５と、回動軸２０４を中心にした原稿圧着板１０４の回動を禁止する第１位置又は回動禁止を解除する第２位置に切替可能なストッパー２０７と、原稿圧着板１０４を開閉させる駆動部２０６と、ストッパー２０７を切り替えるアクチュエータ２０８と、を有し、駆動部２０６及びアクチュエータ２０８を制御する制御部は、駆動部２０６により原稿圧着板１０４の回動を行う際は、アクチュエータ２０８によってストッパー２０７を第１位置に切り替えて原稿圧着板１０４の回動軸２０４を中心とした回動動作を禁止する。【選択図】    図２
2012127994.tif 000002
【特許請求の範囲】
【請求項１】
原稿を載置する原稿台と、前記原稿台に載置された原稿を前記原稿台に対して押圧するための原稿押圧部材と、前記原稿台に載置された原稿の画像を読み取る画像読取部と、を有する画像読取装置において、
画像読取装置の装置本体に対して前記原稿押圧部材を開閉可能に支持するためのヒンジ部であって、前記原稿押圧部材を前記原稿台に対して開閉させるための第一の回動中心と、前記原稿台に載置された原稿の厚さに応じて前記原稿押圧部材を原稿に密着させるために回動させる第二の回動中心と、を有するヒンジ部と、
前記第二の回動中心を中心にした前記原稿押圧部材の回動を禁止する第１位置又は前記第二の回動中心を中心にした前記原稿押圧部材の回動禁止を解除する第２位置に切替可能なストッパーと、
前記第一の回動中心を中心にして前記原稿押圧部材を自動的に開閉させるための駆動部と、
前記ストッパーを第１位置又は第２位置に切り替えるアクチュエータと、
前記駆動部及び前記アクチュエータを制御する制御部と、
を有し、
前記制御部は、前記駆動部により前記原稿押圧部材の前記第一の回動中心を中心とした回動を行う際は、前記アクチュエータによって前記ストッパーを第１位置に切り替えて前記原稿押圧部材の前記第二の回動中心を中心とした回動動作を禁止することを特徴とする画像読取装置。
【請求項２】
原稿を載置する原稿台と、前記原稿台に載置された原稿を前記原稿台に対して押圧するための原稿押圧部材と、前記原稿台に載置された原稿の画像を読み取る画像読取部と、を有する画像読取装置において、
画像読取装置の装置本体に対して前記原稿押圧部材を開閉可能に支持するためのヒンジ部であって、前記原稿押圧部材を前記原稿台に対して開閉させるための第一の回動中心と、前記原稿台に載置された原稿の厚さに応じて前記原稿押圧部材を原稿に密着させるために回動させる第二の回動中心と、を有するヒンジ部と、
前記第二の回動中心を中心にした前記原稿押圧部材の回動を禁止する第１位置又は前記第二の回動中心を中心にした前記原稿押圧部材の回動禁止を解除する第２位置に切替可能なストッパーと、
前記第一の回動中心を中心にして前記原稿押圧部材を自動的に開閉させるための駆動部と、
前記ストッパーを第１位置又は第２位置に切り替えるアクチュエータと、
前記第一の回動中心を中心とした前記原稿押圧部材の動作を検出する検出手段と、
前記検出手段からの信号を受けて前記アクチュエータを制御する制御部と、
を有し、
前記制御部は、前記検出手段が前記原稿押圧部材の第一の回動中心を中心とした動作を検出した際は、前記アクチュエータによって前記ストッパーを第１位置に切り替えて前記原稿押圧部材の前記第二の回動中心を中心とした回動動作を禁止することを特徴とする画像読取装置。
【請求項３】
原稿を載置する原稿台と、前記原稿台に載置された原稿を前記原稿台に対して押圧するための原稿押圧部材と、前記原稿台に載置された原稿の画像を読み取る画像読取部と、を有する画像読取装置において、
画像読取装置の装置本体に対して前記原稿押圧部材を開閉可能に支持するためのヒンジ部であって、前記原稿押圧部材を前記原稿台に対して開閉させるための第一の回動中心と、前記原稿台に載置された原稿の厚さに応じて前記原稿押圧部材を原稿に密着させるために回動させる第二の回動中心と、を有するヒンジ部と、
前記第二の回動中心を中心にした前記原稿押圧部材の回動を禁止する第１位置又は前記第二の回動中心を中心にした前記原稿押圧部材の回動禁止を解除する第２位置に切替可能なストッパーと、
前記第一の回動中心を中心にして前記原稿押圧部材を自動的に開閉させるための駆動部と、
前記ストッパーを第１位置又は第２位置に切り替えるアクチュエータと、
前記駆動部による前記第一の回動中心周りに発生するトルクを検出するトルク検出手段と、
前記トルク検出手段からの信号を受けて前記アクチュエータを制御する制御部と、
を有し、
前記トルク検出手段により検出したトルクが所定の値を超えたとき、前記アクチュエータによって前記ストッパーを第１位置に切り替えて前記原稿押圧部材の前記第二の回動中心を中心とした回動動作を禁止することを特徴とする画像読取装置。
【請求項４】
前記原稿押圧部材は、前記画像読取部による読取装置に対して自動的に原稿を搬送する自動原稿搬送装置に取り付けられていることを特徴とする請求項１乃至請求項３のいずれか１項に記載の画像読取装置。
【請求項５】
前記制御部は、前記原稿押圧部材の第一の回動中心を中心とした開放動作時のみ、前記アクチュエータによって前記ストッパーを第１位置に切り替えて前記原稿押圧部材の前記第二の回動中心を中心とした回動動作を禁止することを特徴とする請求項１乃至請求項４のいずれか１項に記載の画像読取装置。
【発明の詳細な説明】
【技術分野】
【０００１】
本発明は、原稿台に載置された原稿を原稿台に対して押圧するための原稿押圧部材を開閉可能に備えた画像読取装置に関する。
【背景技術】
【０００２】
従来、複写機、ファクシミリ、イメージスキャナ等に用いられる画像読取装置では、原稿台ガラスの上に載せた原稿を、原稿圧着板によって原稿台ガラスに密着させ、この状態で画像読取部によって原稿の画像を読み取っている。原稿圧着板は、原稿台ガラス上の読取位置に原稿を送る自動原稿搬送装置とともに、画像読取装置の装置本体に対して開閉可能に設けられている。
【０００３】
特許文献１には、前述の原稿圧着板を自動的に開閉する装置が開示されている。詳しくは、原稿圧着板を開閉可能に支持するヒンジ部と、このヒンジ部を自動的に動作させて原稿圧着板を開閉する駆動部とを備えた原稿圧着板自動開閉装置が開示されている。
【０００４】
ヒンジ部は、装置本体側に回動シャフト（第一の回動中心）を介して回動可能に軸支された支持部材と、原稿圧着板側に取り付けられ支持部材にヒンジピン（第二の回動中心）を中心に回動可能に軸支されたリフト部材とを有している。そして、ヒンジ部のリフト部材の軸周りには、支持部材とリフト部材の間に設けられた弾性手段によって原稿圧着板を開く方向に付勢力が作用している。
【０００５】
従って、比較的厚手の本のような原稿の場合、原稿圧着板を閉じ方向に押圧することで、原稿（本）の厚さに応じて、ヒンジ部のリフト部材が支持部材に対して弾性手段の付勢力に抗して回動して、原稿圧着板が原稿（本）に面接触するようになっている。
【先行技術文献】
【特許文献】
【０００６】
【特許文献１】特開２００９−３６９９４号公報
【発明の概要】
【発明が解決しようとする課題】
【０００７】
しかしながら、駆動部による原稿圧着板の自動開閉中に、ユーザーが原稿圧着板に閉じ方向の負荷をかけてしまった場合、原稿圧着板を原稿に密着させられなくなってしまうおそれがある。詳しくは、以下の通りである。
【０００８】
図１１に示すように、ヒンジ部５０では、第一の回動中心５１周りに駆動部５２が発生する開き方向のモーメントＭ１がかかった状態で、ユーザーが原稿圧着板５３を閉めようとすると、原稿圧着板５３にモーメントＭ１とは逆方向となる閉じ方向のモーメントＭ２が作用する。原稿圧着板５３は、前述したように、支持部材５４とリフト部材５５の間に設けられた弾性手段５６の付勢力（開き方向のモーメントＭ３）により、簡単には回動しないように保持されている。図１１において、５８は原稿圧着板５３を有する自動原稿搬送装置、５９は原稿を載置する原稿台ガラス、６０は画像読取部を有する画像読取装置本体である。
【０００９】
しかしながら、原稿圧着板５３に開き方向のモーメントＭ１がかかった状態で、ユーザーが原稿圧着板５３を閉めると、その閉める力（モーメントＭ２）が、前述の弾性手段５６による付勢力を上回ってしまう場合がある。この場合、図１２に示すように、原稿圧着板５３を閉めようというユーザーの意図に反して、原稿圧着板５３が第二の回動中心５７を中心にして閉じ方向に回動してしまい、原稿圧着板５３を原稿に密着させられなくなってしまうおそれがある。
【００１０】
本発明の目的は、ユーザーが原稿圧着板を閉めようとした際に、その意図に反して原稿圧着板が第二の回動中心を中心にして回動してしまうのを防止し、確実に原稿圧着板を原稿に密着させることが可能な画像読取装置を提供することである。
【課題を解決するための手段】
【００１１】
上記目的を達成するため、本発明は、原稿を載置する原稿台と、前記原稿台に載置された原稿を前記原稿台に対して押圧するための原稿押圧部材と、前記原稿台に載置された原稿の画像を読み取る画像読取部と、を有する画像読取装置において、画像読取装置の装置本体に対して前記原稿押圧部材を開閉可能に支持するためのヒンジ部であって、前記原稿押圧部材を前記原稿台に対して開閉させるための第一の回動中心と、前記原稿台に載置された原稿の厚さに応じて前記原稿押圧部材を原稿に密着させるために回動させる第二の回動中心と、を有するヒンジ部と、前記第二の回動中心を中心にした前記原稿押圧部材の回動を禁止する第１位置又は前記第二の回動中心を中心にした前記原稿押圧部材の回動禁止を解除する第２位置に切替可能なストッパーと、前記第一の回動中心を中心にして前記原稿押圧部材を自動的に開閉させるための駆動部と、前記ストッパーを第１位置又は第２位置に切り替えるアクチュエータと、前記駆動部及び前記アクチュエータを制御する制御部と、を有し、前記制御部は、前記駆動部により前記原稿押圧部材の前記第一の回動中心を中心とした回動を行う際は、前記アクチュエータによって前記ストッパーを第１位置に切り替えて前記原稿押圧部材の前記第二の回動中心を中心とした回動動作を禁止することを特徴とする。
【発明の効果】
【００１２】
本発明によれば、ユーザーが原稿押圧部材を閉めようとした際に、その意図に反して原稿押圧部材が第二の回動中心を中心にして回動してしまうのを防止することができ、原稿台に載置された原稿に原稿押圧部材を確実に密着させることができる。
【図面の簡単な説明】
【００１３】
【図１】画像読取装置の斜視図
【図２】第１実施形態に係るヒンジ部付近の拡大断面図
【図３】第１実施形態に係るヒンジ部付近の拡大断面図
【図４】第１実施形態に係るヒンジ部付近の拡大断面図
【図５】第１実施形態に係る画像読取装置の制御を説明するフローチャート
【図６】第２実施形態に係るヒンジ部付近の拡大断面図
【図７】第２実施形態に係る画像読取装置の制御を説明するフローチャート
【図８】第３実施形態に係るヒンジ部付近の拡大断面図
【図９】第３実施形態に係る画像読取装置の制御を説明するフローチャート
【図１０】第３実施形態における第一の回動軸周りのトルクの変化を表すグラフ
【図１１】従来の画像読取装置におけるヒンジ部付近の拡大断面図
【図１２】従来の画像読取装置の斜視図
【発明を実施するための形態】
【００１４】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１５】
〔第１実施形態〕
図１〜図５を用いて第１実施形態に係る画像読取装置について説明する。図１は画像読取装置の斜視図、図２〜図４は第１実施形態に係るヒンジ部付近の拡大断面図、図５は第１実施形態に係る画像読取装置の制御を説明するフローチャートである。
【００１６】
図１において、１０１は画像読取装置１００の装置本体である。装置本体１０１には、原稿を載置する原稿台ガラス１０３、原稿台ガラス１０３に載置された原稿の画像を読み取る画像読取部（不図示）が設けられている。１０４は原稿圧着板であり、原稿台ガラス１０３に載置された原稿を原稿台ガラス１０３に対して押圧（密着）させるための原稿押圧部材である。１０２は自動原稿搬送装置（以下、ＡＤＦという）であり、装置本体１０１に設けられた画像読取部（不図示）による読取位置に対して原稿を自動的に搬送する。１０５，１０６はヒンジであり、画像読取装置１００の装置本体１０１に対してＡＤＦ１０２を開閉可能に支持するためのヒンジ部である。原稿圧着板１０４は、ＡＤＦ１０２に取り付けられており、ＡＤＦ１０２とともに開閉される。
【００１７】
原稿の画像を読み取る際には、原稿台ガラス１０３の上に原稿を載せ、ＡＤＦ１０２を閉じて原稿圧着板１０４によって原稿を原稿台ガラス１０３に密着させる。この状態で画像読取装置１００の装置本体１０１に設けられた画像読取部（不図示）によって原稿の画像を読み取る。
【００１８】
図２、図３、図４には複数のヒンジのうちの一方のヒンジ１０５付近の拡大断面図を示す。ヒンジ１０５は、後述する取り付け部２０１，２０２、回動軸２０３，２０４、連結板２０５、及びバネ２０９からなる。第一の取り付け部２０１は、画像読取装置１００の装置本体１０１に対する取り付け部である。第二の取り付け部２０２は、ＡＤＦ１０２に対する取り付け部である。第一の回動軸２０３は、ＡＤＦ１０２（原稿圧着板１０４）を原稿台ガラス１０３に対して開閉させるための回動軸（第一の回動中心）である。第二の回動軸２０４は、原稿台ガラス１０３に載置された原稿の厚さに応じて原稿圧着板１０４を原稿に密着させるために原稿圧着板１０４を回動させる回動軸（第二の回動中心）である。連結板２０５は、第一の取り付け部２０１の第一の回動軸２０３と第二の取り付け部２０２の第二の回動軸２０４を連結する連結部材である。バネ２０９は、ＡＤＦ１０２に対する取り付け部２０２と連結板２０５に両端を固定されており、ＡＤＦ１０２に対して開き方向の付勢力を発生する付勢部材である。
【００１９】
バネ２０９により、ＡＤＦ１０２に対する取り付け部２０２は連結板２０５に引き寄せられる。そのため、回動軸２０４を中心にして取り付け部２０２が回動してＡＤＦ１０２が閉じ方向に回動するのは、ユーザーがＡＤＦ１０２に対して閉じ方向に力をかけ、回動軸２０４周りにバネ２０９が発生するモーメントを上回るモーメントを発生させたときに限られる。これにより、ユーザーが手でＡＤＦ１０２を開け閉めする際に、ＡＤＦ１０２が回動軸２０４を中心にして簡単に回動動作するのを防止することが可能となる。
【００２０】
更に画像読取装置１００は、後述する駆動部２０６、ストッパー２０７、及びアクチュエータ２０８を有している。駆動部２０６は、回動軸２０３を回動させることによりＡＤＦ１０２（原稿圧着板１０４）を自動的に開閉させるための駆動部である。ストッパー２０７は、連結板２０５と取り付け部２０２とを一体化することにより、ＡＤＦ１０２が回動軸２０４を中心にして回動動作しないようにするストッパーである。ストッパー２０７は、回動軸２０４を中心にしたＡＤＦ１０２（原稿圧着板１０４）の回動を禁止する第１位置、又は回動軸２０４を中心にしたＡＤＦ１０２（原稿圧着板１０４）の回動禁止を解除する第２位置に切替可能に設けられている。アクチュエータ２０８は、ストッパー２０７を移動させるものであり、ストッパー２０７を第１位置又は第２位置に切り替える。
【００２１】
ここでは、ストッパー２０７は、アクチュエータ２０８とともにＡＤＦ１０２側の取り付け部２０２に取り付けられている。ストッパー２０７は、アクチュエータ２０８によって第１位置に切り替えられることで連結板２０５と係合して、連結板２０５と取り付け部２０２とを一体化して、ＡＤＦ１０２が回動軸２０４を中心にして回動するのを禁止する。一方、ストッパー２０７は、アクチュエータ２０８によって第２位置に切り替えられることで連結板２０５との係合が解除されて、連結板２０５と取り付け部２０２との一体化が解除されて、ＡＤＦ１０２が回動軸２０４を中心にして回動可能となる。
【００２２】
前述した駆動部２０６及びアクチュエータ２０８は制御部（不図示）によって制御される。この制御のフローチャートを図５に示す。
【００２３】
制御部は、駆動部２０６によりＡＤＦ１０２の開放動作を行う際には、アクチュエータ２０８を動作（ＯＮ）させ、ストッパー２０７を取り付け部２０２と連結板２０５とを一体化する第１位置（図２におけるストッパーの実線で描かれた位置）に移動させる（Ｓ１１，Ｓ１２）。これにより、取り付け部２０２の回動軸２０４を中心とする回動を禁止して、駆動部２０６によるＡＤＦ１０２の開放動作中のＡＤＦ１０２の回動軸２０４を中心とする回動を禁止する。
【００２４】
駆動部２０６によるＡＤＦ１０２の開放動作終了後は、アクチュエータ２０８を開放（ＯＦＦ）し、ストッパー２０７を取り付け部２０２と連結板２０５とが独立して動作可能な第２位置（図２におけるストッパーの破線で描かれた位置）に戻す（Ｓ１３，Ｓ１４）。これにより、原稿台ガラス１０３上に本などの厚物原稿が置かれた際に、その原稿の厚さに応じてＡＤＦ１０２を回動軸２０４を中心にして回動させることができ、原稿圧着板１０４を原稿に密着させることが可能となる。
【００２５】
以上のような構成で、駆動部２０６によりＡＤＦ１０２を開放させる際には、図３に示すように、駆動部２０６により回動軸２０３周りのモーメント（Ｍ１）を発生させ、取り付け部２０２及び連結板２０５を回動軸２０３を中心として回動させる。このとき制御部（不図示）によりアクチュエータ２０８が動作（ＯＮ）し、ストッパー２０７によってＡＤＦ１０２の回動軸２０４を中心とする回動を禁止する。これにより、駆動部２０６によるＡＤＦ１０２の自動開放動作時にユーザーがＡＤＦ１０２を閉じようとしてＡＤＦ１０２を下向き押しても、ユーザーの意図に反してＡＤＦ１０２が回動軸２０４を中心に回動して、原稿圧着板１０４を原稿に密着させられなくなるのを防ぐことができる。
【００２６】
駆動部２０６によるＡＤＦ１０２の開放動作が終了すると、制御部（不図示）がアクチュエータ２０８を開放（ＯＦＦ）してストッパー２０７による回動禁止を解除して、ＡＤＦ１０２の回動軸２０４を中心とする回動動作を可能にする。ＡＤＦ１０２を駆動部２０６によって閉める際にも、ユーザーが手で閉める際にも、原稿台ガラス１０３上に厚物原稿が載置された場合には、図４に示すようにＡＤＦ１０２を回動軸２０４を中心に回動させ、原稿圧着板１０４を原稿に密着させることが可能となる。
【００２７】
上述したように、本実施形態によれば、ユーザーが原稿圧着板を閉めようとした際に、その意図に反して原稿圧着板が第二の回動軸を中心にして回動してしまうのを防止することができ、原稿台ガラスに載置された原稿に原稿圧着板を確実に密着させることができる。
【００２８】
〔第２実施形態〕
図６〜図７を用いて第２実施形態に係る画像読取装置におけるヒンジ部付近の構成について説明する。その他の構成は、第１実施形態と同様であるため、同等の機能を有する部材には同一符号を附し、詳しい説明は省略する。
【００２９】
図６は本実施形態におけるヒンジ部付近の拡大断面図である。第２実施形態では、第１実施形態で説明した構成に加えて、ＡＤＦ１０２を装置本体１０１に対して開閉するための第一の回動軸２０３を軸としたＡＤＦ１０２の動作を検出するセンサ(検出手段）８０１が取り付けられている。
【００３０】
第１実施形態で説明したのと同じように、駆動部２０６及びアクチュエータ２０８の制御は制御部（不図示）により行われる。制御部は、前記センサ８０１からの信号を受けてアクチュエータ２０８を制御する。この制御のフローチャートを図７に示す。
【００３１】
センサ８０１が回動軸２０３を軸としたＡＤＦ１０２の開放動作を検出すると、制御部（不図示）によりアクチュエータ２０８を作動（ＯＮ）させ、ストッパー２０７を第１位置（図６におけるストッパーの実線位置）に移動させる（Ｓ２１，Ｓ２２）。この第１位置に移動されたストッパー２０７により、取り付け部２０２と連結板２０５とが一体化されて、ＡＤＦ１０２の回動軸２０４を中心とする回動を禁止する。これにより、駆動部２０６によるＡＤＦ１０２の自動開放動作時及びユーザーによるＡＤＦ１０２の開放動作時に、ユーザーがＡＤＦ１０２を閉じようとしても、ユーザーの意図に反してＡＤＦ１０２が回動軸２０４を中心に回動して、原稿圧着板１０４を原稿に密着させられなくなるのを防ぐことができる。
【００３２】
センサ８０１が回動軸２０３を軸としたＡＤＦ１０２の開放動作を検出しなくなると、制御部がアクチュエータ２０８を開放（ＯＦＦ）して、ストッパー２０７を第２位置（図６におけるストッパーの破線位置）に移動させる（Ｓ２３，Ｓ２４）。このようにストッパー２０７が第２位置に移動されることにより、取り付け部２０２と連結板２０５との一体化が解除されて、ストッパー２０７によるＡＤＦ１０２の回動禁止が解除される。これにより、ＡＤＦ１０２の回動軸２０４を中心とする回動動作が可能となる。そのため、原稿台ガラス１０３上に厚物原稿が載置された際は、ＡＤＦ１０２を回動軸２０４を中心に回動させ、原稿圧着板１０４を原稿に密着させることが可能となる。
【００３３】
上述したように、本実施形態においても、ユーザーが原稿圧着板を閉めようとした際に、その意図に反して原稿圧着板が第二の回動軸を中心にして回動してしまうのを防止することができ、原稿台ガラスに載置された原稿に原稿圧着板を確実に密着させることができる。
【００３４】
なお、ＡＤＦ１０２の動作を検出するセンサ（検出手段）としては、ＡＤＦ開放時の加速度を検出する加速度センサ、回動軸２０３の角度を検出する角度センサ、回動軸２０３の回転を検出するエンコーダなどが好適である。
【００３５】
〔第３実施形態〕
図８〜図１０を用いて第３実施形態に係る画像読取装置におけるヒンジ部付近の構成について説明する。その他の構成は、第１実施形態と同様であるため、同等の機能を有する部材には同一符号を附し、詳しい説明は省略する。
【００３６】
図８は本実施形態におけるヒンジ部付近の拡大断面図である。第３実施形態では、第２実施形態におけるＡＤＦの開放動作を検出するセンサを、第一の回動軸周りに発生するトルクを検出するトルクセンサ（トルク検出手段）９０１に置き換えた構成となっている。
【００３７】
第１実施形態で説明したのと同じように、駆動部２０６及びアクチュエータ２０８の制御は制御部（不図示）により行われる。制御部は、前記トルクセンサ９０１からの信号を受けてアクチュエータ２０８を制御する。この制御のフローチャートを図９に示す。
【００３８】
駆動部２０６又はユーザーによるＡＤＦ１０２の開放動作が行われると、回動軸２０３周り（第一の回動中心周り）のトルクは、図１０に示すグラフのように変動する。図１０では、ＡＤＦ１０２の開放方向に働くトルクを＋（プラス）方向として縦軸にとり、ＡＤＦ１０２の開放角度を横軸にとり、回動軸２０３周りのトルクの変動をあらわしている。トルクセンサ９０１はこのトルク変動を検出している。
【００３９】
駆動部２０６又はユーザーによるＡＤＦ１０２の開放動作が行われると、トルクセンサ９０１が回動軸２０３周りのトルクを検出し、制御部（不図示）に電気信号として伝送する。制御部では伝送されたトルクを所定の値（スレッショルドレベル、図１０に示す一点鎖線位置）と比較する。トルクセンサ９０１が検出するトルクがスレッショルドレベルを超えていたら、制御部がアクチュエータ２０８を作動（ＯＮ）させ、ストッパー２０７を第１位置（図８におけるストッパーの実線位置）に移動させる（Ｓ３１，Ｓ３２）。この第１位置に移動されたストッパー２０７により、取り付け部２０２と連結板２０５とが一体化されて、ＡＤＦ１０２の回動軸２０４を中心とする回動を禁止する。これにより、駆動部２０６によるＡＤＦ１０２の自動開放動作時及びユーザーによるＡＤＦ１０２の開放動作時に、ユーザーがＡＤＦ１０２を閉じようとしても、ユーザーの意図に反してＡＤＦ１０２が回動軸２０４を中心に回動して、原稿圧着板１０４を原稿に密着させられなくなるのを防ぐことができる。
【００４０】
一方、トルクセンサ９０１が検出するトルクがスレッショルドレベル以下になると、制御部がアクチュエータ２０８を開放（ＯＦＦ）して、ストッパー２０７を第２位置（図８におけるストッパーの破線位置）に移動させる（Ｓ３３，Ｓ３４）。このようにストッパー２０７が第２位置に移動されることにより、取り付け部２０２と連結板２０５との一体化が解除されて、ストッパー２０７によるＡＤＦ１０２の回動禁止が解除される。これにより、ＡＤＦ１０２の回動軸２０４を中心とする回動動作が可能となる。そのため、原稿台ガラス１０３上に厚物原稿が載置された際は、ＡＤＦ１０２を回動軸２０４を中心に回動させ、原稿圧着板１０４を原稿に密着させることが可能となる。
【００４１】
上述したように、本実施形態においても、ユーザーが原稿圧着板を閉めようとした際に、その意図に反して原稿圧着板が第二の回動軸を中心にして回動してしまうのを防止することができ、原稿台ガラスに載置された原稿に原稿圧着板を確実に密着させることができる。
【００４２】
〔他の実施形態〕
前述した実施形態では、原稿圧着板（ＡＤＦ）を開閉可能に支持する複数のヒンジのうち、一方のヒンジ１０５に駆動部及びストッパーが取り付けられている構成を例示して説明したが、これに限定されるものではない。例えば、他方のヒンジ１０６に駆動部及びストッパーを設ける構成、又は両方のヒンジ１０５，１０６に駆動部及びストッパーを設ける構成であっても良い。あるいは、ヒンジ１０５，１０６の一方に駆動部を、他方にストッパーを設ける構成であっても良い。これらの構成であっても、本実施形態で説明したのと同様の効果が得られる。
【００４３】
また、前述した実施形態では、画像読取装置としてスキャナを例示したが、本発明はこれに限定されるものではない。例えば複写機、ファクシミリ装置や、或いはこれらの機能を組み合わせた複合機等に前述した画像読取装置を用いることにより、同様の効果を得ることができる。
【符号の説明】
【００４４】
１００ …画像読取装置
１０１ …装置本体
１０２ …ＡＤＦ
１０３ …原稿台ガラス
１０４ …原稿圧着板
１０５ …ヒンジ
２０１，２０２ …取り付け部
２０３，２０４ …回動軸
２０５ …連結板
２０６ …駆動部
２０７ …ストッパー
２０８ …アクチュエータ
２０９ …バネ
【図１】
2012127994.tif 000003
【図２】
2012127994.tif 000004
【図３】
2012127994.tif 000005
【図４】
2012127994.tif 000006
【図５】
2012127994.tif 000007
【図６】
2012127994.tif 000008
【図７】
2012127994.tif 000009
【図８】
2012127994.tif 000010
【図９】
2012127994.tif 000011
【図１０】
2012127994.tif 000012
【図１１】
2012127994.tif 000013
【図１２】
2012127994.tif 000014